(57)【要約】【課題】無線通信システムのユーザー端において好適な多重化方式を選び、伝送効率を向上させる無線ベアラ（ＲＢ）マッピング方法及び装置を提供する。【解決手段】方法は、ユーザー端がCell_DCH（セル専用チャネル）状態で動作するときのＦＤＭ  ＲＢ（周波数分割多重化無線ベアラ）について、それぞれ異なる多重化方式に対応する複数の多重化条件を設定するステップと、ユーザー端のＲＢが上記複数の多重化条件のいずれかに合致するかどうかを判断するステップと、上記ＲＢが上記複数の多重化条件のいずれかに合致した場合、当該多重化条件に対応する多重化方式でＲＢマッピングを実行するステップからなる。【選択図】図４
2008092572.tif 000002
【特許請求の範囲】
【請求項１】
無線通信システムのユーザー端に用いられる無線ベアラ（ＲＢ）マッピング方法であって、
ユーザー端がCell_DCH（セル専用チャネル）状態で動作するときのＦＤＭ  ＲＢ（周波数分割多重化無線ベアラ）について、それぞれ異なる多重化方式に対応する複数の多重化条件を設定するステップと、
ユーザー端のＲＢが上記複数の多重化条件のいずれかに合致するかどうかを判断するステップと、
上記ＲＢが上記複数の多重化条件のいずれかに合致した場合、当該多重化条件に対応する多重化方式でＲＢマッピングを実行するステップからなることを特徴とするＲＢマッピング方法。
【請求項２】
前記ユーザー端のＲＢが複数の多重化条件のいずれかに合致するかどうかを判断するステップは更に、ＲＢが前記複数の多重化条件のいずれかに合致した場合に、前記複数の多重化条件に含まれる他の多重化条件にかかる判断を中止するステップを含むことを特徴とする請求項１記載のＲＢマッピング方法。
【請求項３】
前記方法は更に、前記ＲＢが前記複数の多重化条件のいずれにも合致しない場合に、前記複数の多重化条件に対応する多重化方式を一切利用しないステップを含むことを特徴とする請求項１記載のＲＢマッピング方法。
【請求項４】
無線通信システムにおいてＲＢマッピングを正確に実行し、無線資源を節減するための通信装置であって、
通信装置の機能を実現させる制御回路と、
プログラムコードを実行して制御回路を制御するプロセッサーと、
プログラムコードを記録する記憶装置とを含み、該プログラムコードは、
ユーザー端がCell_DCH状態で動作するときのＦＤＭ  ＲＢについて、それぞれ異なる多重化方式に対応する複数の多重化条件を設定するステップと、
ユーザー端のＲＢが上記複数の多重化条件のいずれかに合致するかどうかを判断するステップと、
上記ＲＢが上記複数の多重化条件のいずれかに合致した場合、当該多重化条件に対応する多重化方式でＲＢマッピングを実行するステップを含むことを特徴とする通信装置。
【請求項５】
前記プログラムコードにおいて、ユーザー端のＲＢが複数の多重化条件のいずれかに合致するかどうかを判断するステップは更に、ＲＢが前記複数の多重化条件のいずれかに合致した場合に、前記複数の多重化条件に含まれる他の多重化条件にかかる判断を中止するステップを含むことを特徴とする請求項４記載の通信装置。
【請求項６】
前記プログラムコードは更に、前記ＲＢが前記複数の多重化条件のいずれにも合致しない場合に、前記複数の多重化条件に対応する多重化方式を一切利用しないステップを含むことを特徴とする請求項４記載の通信装置。
【請求項７】
無線通信システムのユーザー端に用いられるＲＢマッピング方法であって、
ユーザー端がCell_DCH状態で動作するとき、ＦＤＭ  ＲＢが第一多重化条件に合致しない場合にだけ、当該ＦＤＭ  ＲＢが第二多重化条件に合致するかどうかを判断するステップと、
第二多重化条件に基づいてＲＢの多重化方式を決定するステップからなり、そのうち第一多重化条件とは、ＲＢの下り伝送チャネルがDCH（専用チャネル）であって上り伝送チャネルがE-DCH（エンハンスド専用トランスポートチャネル）であることをいい、第二多重化条件とは、ＲＢの下り伝送チャネルがDCHであって上り伝送チャネルもDCHであることをいうことを特徴とするＲＢマッピング方法。
【請求項８】
前記第二多重化条件の判断結果に基づいてＲＢの多重化方式を決定するステップは更に、前記ＲＢが第二多重化条件に合致した場合に、当該ＲＢの下り伝送チャネルをDCHに設定し、上り伝送チャネルもDCHに設定するステップを含むことを特徴とする請求項７記載のＲＢマッピング方法。
【請求項９】
前記第二多重化条件の判断結果に基づいてＲＢの多重化方式を決定するステップは更に、前記ＲＢが第二多重化条件に合致しない場合に、当該ＲＢの多重化方式を設定しないステップを含むことを特徴とする請求項７記載のＲＢマッピング方法。
【請求項１０】
無線通信システムにおいてＲＢマッピングを正確に実行し、無線資源を節減するための通信装置であって、
通信装置の機能を実現させる制御回路と、
プログラムコードを実行して制御回路を制御するプロセッサーと、
プログラムコードを記録する記憶装置とを含み、該プログラムコードは、
ユーザー端がCell_DCH状態で動作するとき、ＦＤＭ  ＲＢが第一多重化条件に合致しない場合にだけ、当該ＦＤＭ  ＲＢが第二多重化条件に合致するかどうかを判断するステップと、
第二多重化条件に基づいてＲＢの多重化方式を決定するステップを含み、そのうち第一多重化条件とは、ＲＢの下り伝送チャネルがDCHであって上り伝送チャネルがE-DCHであることをいい、第二多重化条件とは、ＲＢの下り伝送チャネルがDCHであって上り伝送チャネルもDCHであることをいうことを特徴とする通信装置。
【請求項１１】
前記プログラムコードにおいて、第二多重化条件の判断結果に基づいてＲＢの多重化方式を決定するステップは更に、前記ＲＢが第二多重化条件に合致した場合に、当該ＲＢの下り伝送チャネルをDCHに設定し、上り伝送チャネルもDCHに設定するステップを含むことを特徴とする請求項１０記載の通信装置。
【請求項１２】
前記プログラムコードにおいて、第二多重化条件の判断結果に基づいてＲＢの多重化方式を決定するステップは更に、前記ＲＢが第二多重化条件に合致しない場合に、当該ＲＢの多重化方式を設定しないステップを含むことを特徴とする請求項１０記載の通信装置。
【発明の詳細な説明】
【技術分野】
【０００１】
本発明は無線通信システムにおける無線ベアラ（ＲＢ）マッピング方法及び装置に関し、特に無線通信システムのユーザー端において好適な多重化方式を選び、伝送効率を向上させる方法及び装置に関する。
【背景技術】
【０００２】
第三世代の移動通信技術はＷＣＤＭＡ（広帯域符号分割多元接続）方式で高いスペクトル利用効率、カバー率、通話品質及び高速伝送を実現させるとともに、ＱｏＳ（サービス品質）の確保、柔軟性のある双方向通信の実現、通話中断率の低減を可能にする。
【０００３】
ＵＭＴＳ（ユニバーサル移動通信システム）規格に準拠する第三世代移動通信システムは、ユーザー装置（ＵＥ）、地上無線アクセスネットワーク（ＵＴＲＡＮ）、及びコアネットワーク（ＣＮ）により構成され、所用のプロトコルはＡＳ（アクセスストラタム）とＮＡＳ（非アクセスストラタム）に分けられる。ＡＳにはＲＲＣ（無線資源制御）、ＲＬＣ（無線リンク制御）、ＭＡＣ（媒体アクセス制御）、ＰＤＣＰ（パケットデータ収斂プロトコル）、ＢＭＣ（放送／マルチキャスト制御）などの副層が設けられ、その動作については当業者に周知されているため、ここで説明を省略とする。そのうち第三層に属するＲＲＣ層は、ＡＳの核心として無線資源メッセージの交換、無線資源設定制御、ＱｏＳ制御、チャネル伝送形式設定制御、パケット割当再配置処理制御、ＮＡＳプロトコル伝送処理などを実行する。
【０００４】
ＲＲＣ層はＵＴＲＡＮの無線ネットワークコントローラー（ＲＮＣ）とＵＥにそれぞれ設けられ、Ｕｕインターフェイスのパケット交換及び送信管理を担当する。その動作については下記に詳述する。まず、ＵＥのＲＲＣはＭＡＣ層と物理層（ＰＨＹ）から得た計測結果を測定報告（measurement report）としてまとめ、これをＲＬＣ、ＭＡＣ、物理層に送信して処理を加え、更にネットワーク端（ＵＴＲＡＮ）のＲＮＣに送信してメッセージ交換に備える。ネットワーク端のＲＲＣから無線資源割当メッセージを受けると、ユーザー端のＲＲＣはメッセージの分析結果に従って下位層を制御・設定する。ここでいう設定とは、ＲＬＣ層の動作モード、パケット長、暗号化方式、ＭＡＣ層のチャネルマッピング多重化方式、チャネル伝送形式、物理層の動作周波数、スペクトラム拡散コード、送信電力、同期方式、計測項目などの諸設定を含む。
ユーザー端とネットワーク端にそれぞれ設けられるＲＲＣ層は、ＲＲＣメッセージ（信号（signaling）とも称する）で情報を交換する。複数の情報要素（ＩＥ）によって構成されたＲＲＣメッセージは、第二層プロトコル（ＲＬＣ、ＭＡＣ）エンティティーと第一層プロトコル（物理層）エンティティーの設定・変更・解放に必要な情報を運ぶものであり、データ交換チャネルの確立・調整・消去に備え、データパケットの交換を可能にする。ＲＲＣ層は上位層に必要な制御信号をＲＲＣメッセージに添付し、無線インターフェイスを介してコアネットワーク端とユーザー端のＮＡＳの間にメッセージを交換させることで、所要の機能を実行する。
【０００５】
無線資源制御の視点から見れば、ユーザーデータの交換に用いるものか、或いはＲＲＣ層同士の制御信号交換に用いるものかを問わず、「論理的」なデータ伝送・交換チャネルはすべて無線ベアラ（ＲＢ）によって定義されている。ＲＢは、ユーザー端において単方向または上り・下り双方向の論理データ伝送・交換チャネルを形成し、ネットワーク端においても単方向または上り・下り双方向の論理データ伝送・交換チャネルを形成する。
【０００６】
一方、ユーザー端のＲＲＣ層はネットワーク端から出力されたＲＢマッピング情報要素（IE”RB mapping info”）に基づいて好適なＲＢ多重化方式を選び、上り・下りの伝送チャネル状態を決定して伝送効率を向上させる。特定の条件（例えばＲＢマッピング情報要素の受信、伝送チャネルの増加・削除、ユーザー端によるセル再選択または状態伝送、ユーザー端によるＲＢ解放など）に合致し、かつCell_DCH（セル専用チャネル）状態で動作するユーザー端は、図１に示す下記方法１０でＦＤＭ  ＲＢ（周波数分割多重無線ベアラ）の多重化方式を決定する。
ステップ１００：開始。
【０００７】
ステップ１０２：ＦＤＭ  ＲＢが、下り伝送チャネルがDCH（専用チャネル）＋HS-DSCH（高速ダウンリンク共用チャネル）であり、上り伝送チャネルがE-DCH（エンハンスド専用トランスポートチャネル）であるという多重化条件に合致するかどうかを判断する。合致した場合はステップ１１８に進み、そうでない場合はステップ１０４に進む。
【０００８】
ステップ１０４：ＦＤＭ  ＲＢが、下り伝送チャネルがDCH＋HS-DSCHであり、上り伝送チャネルがDCHであるという多重化条件に合致するかどうかを判断する。合致した場合はステップ１１８に進み、そうでない場合はステップ１０６に進む。
【０００９】
ステップ１０６：ＦＤＭ  ＲＢが、下り伝送チャネルがDCH＋DSCH（ダウンリンク共用チャネル）であるという多重化条件に合致するかどうかを判断する。合致した場合はステップ１２０に進み、そうでない場合はステップ１０８に進む。
【００１０】
ステップ１０８：ＦＤＭ  ＲＢが、下り伝送チャネルがHS-DSCHであり、上り伝送チャネルがE-DCHであるという多重化条件に合致するかどうかを判断する。合致した場合はステップ１１８に進み、そうでない場合はステップ１１０に進む。
【００１１】
ステップ１１０：ＦＤＭ  ＲＢが、下り伝送チャネルがHS-DSCHであり、上り伝送チャネルがDCHであるという多重化条件に合致するかどうかを判断する。合致した場合はステップ１１８に進み、そうでない場合はステップ１１２に進む。
【００１２】
ステップ１１２：ＦＤＭ  ＲＢが、下り伝送チャネルがDSCHであるという多重化条件に合致するかどうかを判断する。合致した場合はステップ１２０に進み、そうでない場合はステップ１１４に進む。
【００１３】
ステップ１１４：ＦＤＭ  ＲＢが、下り伝送チャネルがDSCHであり、上り伝送チャネルがDCHであるという多重化条件に合致するかどうかを判断する。合致した場合はステップ１１８に進み、そうでない場合はステップ１１６に進む。
【００１４】
ステップ１１６：ＦＤＭ  ＲＢが、下り伝送チャネルがDCHであり、上り伝送チャネルがE-DCHであるという多重化条件に合致するかどうかを判断する。合致した場合はステップ１１８に進み、そうでない場合はステップ１２２に進む。
ステップ１１８：当該多重化条件に対応する多重化方式でＲＢマッピングを実行し、ステップ１２２に進む。
【００１５】
ステップ１２０：ユーザー端の動作状態を未定義と判断し、ステップ１２２に進む。
【００１６】
ステップ１２２：ＦＤＭ  ＲＢが、下り伝送チャネルがDCHであり、上り伝送チャネルもDCHであるという多重化条件に合致するかどうかを判断する。合致した場合はステップ１２４に進み、そうでない場合はステップ１２６に進む。
【００１７】
ステップ１２４：当該多重化条件に対応する多重化方式でＲＢマッピングを実行する。
【００１８】
ステップ１２６：上記多重化条件に対応する多重化方式を一切利用せずにＲＢマッピングを実行する。
【００１９】
ステップ１２８：終了。
以上のとおり、上記ステップ１０２〜１１６の判断結果がどうであれ、ＦＤＭ  ＲＢについて上り・下り伝送チャネルが専用チャネルであるかどうかという判断（ステップ１２２）は必ず実行され、上り・下り伝送チャネルが専用チャネルである場合は対応する多重化方式でＲＢマッピングを行い、そうでない場合は上記多重化条件に対応する多重化方式を一切利用せずにＲＢマッピングを実行する。言い換えれば、ユーザー端は専らステップ１２２に基づいて多重化方式を選択する。言い換えれば、ユーザー端はステップ１２２に示すような、上り・下り伝送チャネルとして専用チャネルを利用するという好ましくない多重化方式を選ぶしかなく、ステップ１０２〜１０６に示すような高速の多重化方式を選択する余地はない。したがって、ステップ１１２以外の判断は無用であるだけでなく、ユーザー端の伝送速度も最適にすることができない。
【００２０】
したがって、従来の多重化方式選択方法１０は上記ステップ１２２を必ず実行するため、上記ステップ１０２〜１０６に対応する多重化方式は利用できず、ユーザー端の伝送効率は最適にすることができない。
【発明の開示】
【発明が解決しようとする課題】
【００２１】
本発明は前述の問題を解決するため、無線通信システムにおけるＲＢマッピング方法及び装置を提供することを課題とする。
【課題を解決するための手段】
【００２２】
本発明は、無線通信システムのユーザー端に用いられる無線ベアラ（ＲＢ）マッピング方法を提供する。該方法は、ユーザー端がCell_DCH（セル専用チャネル）状態で動作するときのＦＤＭ  ＲＢ（周波数分割多重化無線ベアラ）について、それぞれ異なる多重化方式に対応する複数の多重化条件を設定するステップと、ユーザー端のＲＢが上記複数の多重化条件のいずれかに合致するかどうかを判断するステップと、上記ＲＢが上記複数の多重化条件のいずれかに合致した場合、当該多重化条件に対応する多重化方式でＲＢマッピングを実行するステップからなる。
【００２３】
本発明は更に、無線通信システムにおいてＲＢマッピングを正確に実行し、無線資源を節減するための通信装置を提供する。該通信装置は、通信装置の機能を実現させる制御回路と、プログラムコードを実行して制御回路を制御するプロセッサーと、プログラムコードを記録する記憶装置とを含む。該プログラムコードは、ユーザー端がCell_DCH状態で動作するときのＦＤＭ  ＲＢについて、それぞれ異なる多重化方式に対応する複数の多重化条件を設定するステップと、ユーザー端のＲＢが上記複数の多重化条件のいずれかに合致するかどうかを判断するステップと、上記ＲＢが上記複数の多重化条件のいずれかに合致した場合、当該多重化条件に対応する多重化方式でＲＢマッピングを実行するステップを含む。
【００２４】
本発明は更に、無線通信システムのユーザー端に用いられるＲＢマッピング方法を提供する。該方法は、ユーザー端がCell_DCH状態で動作するとき、ＦＤＭ  ＲＢが第一多重化条件に合致しない場合にだけ、当該ＦＤＭ  ＲＢが第二多重化条件に合致するかどうかを判断するステップと、第二多重化条件に基づいてＲＢの多重化方式を決定するステップからなる。そのうち第一多重化条件とは、ＲＢの下り伝送チャネルがDCH（専用チャネル）であって上り伝送チャネルがE-DCH（エンハンスド専用トランスポートチャネル）であることをいい、第二多重化条件とは、ＲＢの下り伝送チャネルがDCHであって上り伝送チャネルもDCHであることをいう。
【００２５】
本発明は更に、無線通信システムにおいてＲＢマッピングを正確に実行し、無線資源を節減するための通信装置を提供する。該通信装置は、通信装置の機能を実現させる制御回路と、プログラムコードを実行して制御回路を制御するプロセッサーと、プログラムコードを記録する記憶装置とを含む。該プログラムコードは、ユーザー端がCell_DCH状態で動作するとき、ＦＤＭ  ＲＢが第一多重化条件に合致しない場合にだけ、当該ＦＤＭ  ＲＢが第二多重化条件に合致するかどうかを判断するステップと、第二多重化条件に基づいてＲＢの多重化方式を決定するステップを含む。そのうち第一多重化条件とは、ＲＢの下り伝送チャネルがDCHであって上り伝送チャネルがE-DCHであることをいい、第二多重化条件とは、ＲＢの下り伝送チャネルがDCHであって上り伝送チャネルもDCHであることをいう。
【発明の効果】
【００２６】
本発明は、ＦＤＭ  ＲＢが下り伝送チャネル＝DCH、上り伝送チャネル＝E-DCHという多重化条件に合致しない場合にだけ、当該ＦＤＭ  ＲＢが下り伝送チャネル＝DCH、上り伝送チャネル＝DCHという多重化条件に合致するかどうかを判断し、その判断結果に基づいてＲＢの多重化方式を決定する。そのため、ユーザー端に最適な多重化方式を適用し、伝送効率を向上させることができる。
【発明を実施するための最良の形態】
【００２７】
かかる方法及び装置の特徴を詳述するために、具体的な実施例を挙げ、図示を参照して以下に説明する。
【００２８】
図２を参照する。図２は無線通信システムに設けられる無線通信装置２００のブロック図であり、当該無線通信システムとしては第三世代移動通信システムが望ましい。説明を簡素化するため、図１では無線通信装置２００の入力装置２０２、出力装置２０４、制御回路２０６、ＣＰＵ（中央処理装置）２０８、記憶装置２１０、プログラムコード２１２及びトランシーバー２１４のみ描かれている。無線通信装置２００では、制御回路２０６はＣＰＵ２０８を用いて記憶装置２１０に記録されたプログラムコード２１２を実行し、無線通信装置２００の動作を制御する。入力装置２０２（例えばキーボード）はユーザーによって入力された信号を受信し、出力装置２０４（スクリーン、スピーカーなど）は映像、音声などの信号を出力する。無線信号を受発信するトランシーバー２１４は受信した信号を制御回路２０６に送信し、または制御回路２０６による信号を無線で出力する。言い換えれば、通信プロトコルに当てはめれば、トランシーバー２１４は第一層の一部とみなすことができ、制御回路２０６は第二層と第三層の機能を実行する装置である。
【００２９】
図３を参照する。図３は図２に示すプログラムコード２１２を表す説明図である。アプリケーション層３００と、第三層インターフェイス３０２と、第二層インターフェイス３０６からなるプログラムコード２１２は、第一層インターフェイス３１８と接続されている。第三層インターフェイス３０２は、ＲＲＣメッセージ３０８を保存し、これをＲＲＣ
ＰＤＵ３１４として出力するバッファ３１２を含む。アプリケーション層３００は所要の制御信号をＲＲＣ ＰＤＵに添付して出力し、これも基づいて第二層インターフェイス３０６と第一層インターフェイス３１８のプロトコルエンティティーを設定・変更・解放し、データ交換チャネルを確立・調整・消去する。
【００３０】
第三層インターフェイス３０２はネットワーク端から出力されたＲＢマッピング情報要素（IE”RB mapping info”）に基づいて好適なＲＢ多重化方式を選び、上り・下りの伝送チャネル状態を定め、伝送効率を向上させる。本発明によるＲＲＣ層は、ネットワーク端のＲＢマッピング情報要素の中から、ＲＢに応じて好適な多重化方式を選び、上り・下り伝送チャネル状態を決定する。ＲＢマッピングを正確に実行して無線資源を節減することに鑑みて、本発明は以下のようなＲＢマッピングプログラムコード３２０を提供する。
【実施例１】
【００３１】
図４を参照する。図４は本発明の実施例１による方法４０のフローチャートである。下記方法４０は無線通信システムのユーザー端におけるＲＢマッピングに用いられ、ＲＢマッピングプログラムコード３２０としてコンパイルすることができる。
ステップ４００：開始。
【００３２】
ステップ４０２：ユーザー端がCell_DCH（セル専用チャネル）状態で動作するときのＦＤＭ  ＲＢについて、複数の多重化条件を設定する。多重化条件はそれぞれ異なる多重化方式に対応する。
【００３３】
ステップ４０４：ユーザー端のＲＢが上記複数の多重化条件のいずれかに合致するかどうかを判断する。
【００３４】
ステップ４０６：ＲＢが上記複数の多重化条件のいずれかに合致した場合、当該多重化条件に対応する多重化方式でＲＢマッピングを実行する。
【００３５】
ステップ４０８：終了。
以上のとおり、ユーザー端がCell_DCH状態で動作するとき、本発明はユーザー端のＲＢが複数の多重化条件のいずれかに合致するかどうかを判断し、合致した場合に当該条件に対応する多重化方式でＲＢマッピングを実行する。言い換えれば、ＲＢが所定の多重化条件のいずれかに合致すれば、本発明は他の多重化条件を利用せず、合致した条件に対応する多重化方式でＲＢマッピングを実行する。したがって、ユーザー端に最適な多重化方式を適用して伝送効率を向上させることができる。
【００３６】
上記方法４０によれば、本発明はＲＢが所定の多重化条件のいずれかに合致した場合に、当該条件に対応する多重化方式でＲＢマッピングを実行し、他の多重化条件について判断しないため、不必要な判断（例えば図１のステップ１２２）を回避してユーザー端の動作効率を向上させることができる。ＲＢが複数の多重化条件のいずれにも合致しない場合では、本発明は所定条件に対応する多重化方式を一切利用しない。
【００３７】
従来の技術では、ユーザー端のＲＢが特定の多重化条件に合致するかどうか関係なく、図１のステップ１２２に示すような判断手順は必ず実行される。それと比べて、本発明はユーザー端のＲＢがある多重化条件に合致した場合にすぐ当該条件に対応する多重化方式でＲＢマッピングを行い、他の多重化方式を利用しないため、ユーザー端に最適な多重化方式を適用して伝送効率を向上させることができる。
【実施例２】
【００３８】
図５を参照する。図５は本発明の実施例２による方法５０のフローチャートである。下記方法５０は無線通信システムのユーザー端におけるＲＢマッピングに用いられ、ＲＢマッピングプログラムコード３２０としてコンパイルすることができる。
ステップ５００：開始。
【００３９】
ステップ５０２：ユーザー端がCell_DCH状態で動作するとき、ＦＤＭ  ＲＢが第一多重化条件に合致しない場合にだけ、当該ＦＤＭ  ＲＢが第二多重化条件に合致するかどうかを判断する。第一多重化条件とは、ＲＢの下り伝送チャネルがDCHであって上り伝送チャネルがE-DCHであることをいい、第二多重化条件とは、ＲＢの下り伝送チャネルがDCHであって上り伝送チャネルもDCHであることをいう。
【００４０】
ステップ５０４：第二多重化条件の判断結果に基づいてＲＢの多重化方式を決定する。
【００４１】
ステップ５０６：終了。
以上のとおり、ユーザー端がCell_DCH状態で動作するとき、本発明はユーザー端のＦＤＭ  ＲＢが第一多重化条件に合致しない場合にだけ、当該ＦＤＭ  ＲＢが第二多重化条件に合致するかどうかを判断する。言い換えれば、ＦＤＭ  ＲＢが下り伝送チャネル＝DCH、上り伝送チャネル＝E-DCHという条件に合致しない場合にだけ、当該ＦＤＭ  ＲＢが下り伝送チャネル＝DCH、上り伝送チャネル＝DCHという条件に合致するかどうかを判断し、ＲＢの多重化方式を決定する。
【００４２】
ＦＤＭ  ＲＢが第一多重化条件に合致すれば、本発明は第二多重化条件を考慮せず、第二多重化条件の判断結果に基づいて多重化方式を決定することもしない。第一多重化条件に合致すれば第二多重化条件を考慮しないため、第二多重化条件の判断結果によりＲＢ多重化方式の選定が影響されず、ユーザー端に最適な多重化方式を適用して伝送効率を向上させることができる。ＲＢが第一多重化条件に合致せず、第二多重化条件に合致した（ステップ５０４で判断する）場合はＲＢの上り・下り伝送チャネルともDCHにし、第二多重化条件にも合致しない場合は多重化方式を設定しない。
【００４３】
従来の技術は、ユーザー端のＲＢが特定の多重化条件に合致するかどうか関係なく、上り・下り伝送チャネルが専用チャネルであるかどうかという判断（図１のステップ１２２）を必ず実行し、専らそれに基づいてＲＢの多重化方式を決定するため、伝送効率を最適化することができない。それと比べて、本発明はＦＤＭ  ＲＢが下り伝送チャネル＝DCH、上り伝送チャネル＝E-DCHという条件に合致しない場合にだけ、当該ＦＤＭ  ＲＢが下り伝送チャネル＝DCH、上り伝送チャネル＝DCHという条件に合致するかどうかを判断し、ＲＢの多重化方式を決定する。そのため、図１のステップ１２２のような不必要な判断手順を実行しなくてもよく、ユーザー端に最適な多重化方式を適用して伝送効率を向上させることができる。
【実施例３】
【００４４】
上記方法４０、５０は本発明の例示に過ぎず、当業者により変更されることが可能である。図６を参照する。図６は本発明の実施例３による方法６０のフローチャートである。下記方法６０は無線通信システムのユーザー端におけるＲＢマッピング及びＦＤＭ  ＲＢの多重化方式の決定に用いられ、ＲＢマッピングプログラムコード３２０としてコンパイルすることができる。
ステップ６００：開始。
【００４５】
ステップ６０２：ＦＤＭ  ＲＢが、下り伝送チャネルがDCH＋HS-DSCHであり、上り伝送チャネルがE-DCHであるという多重化条件に合致するかどうかを判断する。合致した場合はステップ６２２に進み、そうでない場合はステップ６０４に進む。
【００４６】
ステップ６０４：ＦＤＭ  ＲＢが、下り伝送チャネルがDCH＋HS-DSCHであり、上り伝送チャネルがDCHであるという多重化条件に合致するかどうかを判断する。合致した場合はステップ６２２に進み、そうでない場合はステップ６０６に進む。
【００４７】
ステップ６０６：ＦＤＭ  ＲＢが、下り伝送チャネルがDCH＋DSCHであるという多重化条件に合致するかどうかを判断する。合致した場合はステップ６２０に進み、そうでない場合はステップ６０８に進む。
【００４８】
ステップ６０８：ＦＤＭ  ＲＢが、下り伝送チャネルがHS-DSCHであり、上り伝送チャネルがE-DCHであるという多重化条件に合致するかどうかを判断する。合致した場合はステップ６２２に進み、そうでない場合はステップ６１０に進む。
【００４９】
ステップ６１０：ＦＤＭ  ＲＢが、下り伝送チャネルがHS-DSCHであり、上り伝送チャネルがDCHであるという多重化条件に合致するかどうかを判断する。合致した場合はステップ６２２に進み、そうでない場合はステップ６１２に進む。
【００５０】
ステップ６１２：ＦＤＭ  ＲＢが、下り伝送チャネルがDSCHであるという多重化条件に合致するかどうかを判断する。合致した場合はステップ６２０に進み、そうでない場合はステップ６１４に進む。
【００５１】
ステップ６１４：ＦＤＭ  ＲＢが、下り伝送チャネルがDSCHであり、上り伝送チャネルがDCHであるという多重化条件に合致するかどうかを判断する。合致した場合はステップ６２２に進み、そうでない場合はステップ６１６に進む。
【００５２】
ステップ６１６：ＦＤＭ  ＲＢが、下り伝送チャネルがDCHであり、上り伝送チャネルがE-DCHであるという多重化条件に合致するかどうかを判断する。合致した場合はステップ６２２に進み、そうでない場合はステップ６１８に進む。
【００５３】
ステップ６１８：ＦＤＭ  ＲＢが、下り伝送チャネルがDCHであり、上り伝送チャネルもDCHであるという多重化条件に合致するかどうかを判断する。
【００５４】
ステップ６２０：ユーザー端の動作状態が未定義であると判断する。
【００５５】
ステップ６２２：当該多重化条件に対応する多重化方式でＲＢマッピングを実行する。
【００５６】
ステップ６２６：上記多重化条件に対応する多重化方式を一切利用せずにＲＢマッピングを実行する。
図６に示す方法６０はステップ６０２〜６１８の判断結果に基づいてステップ６２０、ステップ６２２またはステップ６２６を実行し、実行後に他の判断手順を一切行わない。それと比べて図１に示す方法１０は、ＦＤＭ  ＲＢがステップ１０２〜１１６の多重化条件に合致するかどうか関係なく、上り・下り伝送チャネルがDCHであるかどうかという判断（ステップ１２２）を必ず実行し、専らそれに基づいてＲＢの多重化方式を決定する。そのため、方法６０はユーザー端に最適な多重化方式を適用し、伝送効率を向上させることができる。
【００５７】
まとめていえば、本発明はＦＤＭ  ＲＢが下り伝送チャネル＝DCH、上り伝送チャネル＝E-DCHという多重化条件に合致しない場合にだけ、当該ＦＤＭ  ＲＢが下り伝送チャネル＝DCH、上り伝送チャネル＝DCHという多重化条件に合致するかどうかを判断し、その判断結果に基づいてＲＢの多重化方式を決定する。したがって、本発明はユーザー端に最適な多重化方式を適用し、伝送効率を向上させることができる。
【００５８】
以上は本発明に好ましい実施例であって、本発明の実施の範囲を限定するものではない。よって、当業者のなし得る修正、もしくは変更であって、本発明の精神の下においてなされ、本発明に対して均等の効果を有するものは、いずれも本発明の特許請求の範囲に属するものとする。
【産業上の利用可能性】
【００５９】
本発明は従来の動作条件を変更したのみであり、実施可能である。
【図面の簡単な説明】
【００６０】
【図１】複数の多重化方式を選択する従来の方法のフローチャートである。
【図２】無線通信システムの無線通信装置のブロック図である。
【図３】図２に示すプログラムコードを表す説明図である。
【図４】本発明の実施例１による方法のフローチャートである。
【図５】本発明の実施例２による方法のフローチャートである。
【図６】本発明の実施例３による方法のフローチャートである。
【符号の説明】
【００６１】
２００    無線通信装置
２０２    入力装置
２０４    出力装置
２０６    制御回路
２０８    ＣＰＵ
２１０    記憶装置
２１２    プログラムコード
２１４    トランシーバー
３００    アプリケーション層
３０２    第三層インターフェイス
３０６    第二層インターフェイス
３０８    ＲＲＣメッセージ
３１２    バッファ
３１４    ＲＲＣ ＰＤＵ
３１８    第一層インターフェイス
３２０    ＲＢマッピングプログラムコード
【図１】
2008092572.tif 000003
【図２】
2008092572.tif 000004
【図３】
2008092572.tif 000005
【図４】
2008092572.tif 000006
【図５】
2008092572.tif 000007
【図６】
2008092572.tif 000008